(57)【要約】【課題】印刷管理についての利便性を向上し、資源の節約、セキュリティを向上させる。【解決手段】クライアント１３が印刷要求をプリントサーバ１２に対して発行すると、プリントサーバ１２は、印刷データをスプールファイル１２４に、印刷設定データを印刷設定ファイル１２５に格納する。また、管理者端末１４から受信した承認条件を、承認条件ファイル１２６に格納する。プリントサーバは、印刷要求の印刷設定データ等と承認条件とを照合し、承認が必要な印刷要求であれば、管理者端末１４に対して承認要求を発行する。また管理者用端末１４では、印刷設定の変更が必要であれば、印刷設定を変更してプリントサーバに送信し、変更内容を印刷設定ファイルに反映させることもできる。管理者端末１４から承認を受けた場合、プリントサーバはプリンタ１５に対して印刷データを送信して印刷させる。【選択図】図１
2004185325.tif 000002
【特許請求の範囲】
【請求項１】
クライアントから印刷要求を受信し、付随する印刷データおよび印刷設定データを格納する受信手段と、
前記印刷要求に関する情報と承認条件とを参照して承認の要否を判定する判定手段と、
前記判定手段により承認が必要であると判定された場合、マネージャに対して承認の可否を要求するとともに前記印刷設定データを提供する承認要求手段と、
前記判定手段により承認が不要であると判定された場合、または前記マネージャより承認可の応答を受信した場合に、格納した前記印刷データを前記印刷設定データに従ってプリンタにより印刷させる印刷制御手段と
を備えることを特徴とするプリントサーバ装置。
【発明の詳細な説明】
【０００１】
【発明の属する技術分野】
本発明は、ローカルエリアネットワークに接続されたクライアント端末からのプリント要求を管理および実行するプリントサーバ装置に関するものである。
【０００２】
【従来の技術】
従来のプリントサーバは、クライアント端末から送られたプリント要求に基づいて、印字データをスプールファイルに書き込むスプーラと、スプールファイル内の印字データを読み出してプリンタに送るライタとを有しており、クライアント端末からのプリント要求を処理している。
【０００３】
さらに、同一のネットワークに管理者のための管理者用端末が接続されており、管理者用端末においてプリント要求の承認が行われる場合もある。その場合には、プリントサーバのスプーラは、プリント要求を受け付けると、プリント要求に付随するクライアントからの情報（クライアント名、ユーザ名、アプリケーション名、印字データのサイズ等）に基づいて印刷出力の承認が必要かの判断を行い、承認が必要な場合には管理者用端末に承認要求を送信する。そして、プリントサーバのスプーラは、管理者用端末に承認要求を送った後にスプールファイルに印字データを書き込み、承認応答を待機する。
【０００４】
管理者用端末からの応答内容が「承認可」であれば、スプーラは承認されたプリント要求に対応するスプールファイルを承認済み状態に変更し、「承認不可」であればスプールファイルを削除する。
【０００５】
一方、承認が必要でない場合には、スプーラは承認を要求することなくスプールファイルに印字データを書き込む。
【０００６】
そして、プリントサーバのライタは、スプールファイルに書き込まれた印字データが承認済みか、もしくは承認が必要でなければ、印字データを読み出してプリンタに対して出力する（特許文献１参照）。
【０００７】
【特許文献１】
特願平８−２７８８６０号公報
【０００８】
【発明が解決しようとする課題】
しかしながら上述の従来技術では、クライアント名、ユーザ名、アプリケーション名、データサイズといった情報で管理者は承認の可否を判断しており、印刷設定など、それら以外の情報については考慮に入れていない。そのため実際に印刷されるプレビュー等を確認するなどして印刷設定や出力内容に関しては承認の対象とならず、管理について行なうことができない。
【０００９】
本発明の目的は、上述の課題を解決するためになされたもので、印刷設定についての管理情報を付加することで、印刷管理についての利便性を向上し、資源の節約、セキュリティの向上につながるプリントサーバを提供することを目的とする。
【００１０】
【課題を解決するための手段】
そのために、本発明のプリントサーバは次のような構成を備える。
【００１１】
クライアントから印刷要求を受信し、付随する印刷データおよび印刷設定データを格納する受信手段と、
前記印刷要求に関する情報と承認条件とを参照して承認の要否を判定する判定手段と、
前記判定手段により承認が必要であると判定された場合、マネージャに対して承認の可否を要求するとともに前記印刷設定データを提供する承認要求手段と、
前記判定手段により承認が不要であると判定された場合、または前記マネージャより承認可の応答を受信した場合に、格納した前記印刷データを前記印刷設定データに従ってプリンタにより印刷させる印刷制御手段とを備える。
【００１２】
【発明の実施の形態】
以下、図面を参照しながら本発明の実施形態について詳細に説明する。
【００１３】
図１には本発明が適用されるネットワーク印刷システムの例が示されている。ローカルエリアネットワーク（ＬＡＮ）１１には、この例ではプリントサーバ１２、複数台のクライアント１３、管理者マシン１４、プリンタ１５が接続されている。プリントサーバ１２、クライアント１３、管理者マシン１４は通常、コンピュータマシンで構成される。
【００１４】
プリントサーバ１２は、ローカルエリアネットワーク１１上のプリンタ１５を管理している。プリントサーバ１２内に設けられた記憶装置には、本実施形態の印刷制御を実現するプリンタドライバ１２１が内蔵され印刷制御装置として機能する。
【００１５】
クライアント１３では、文書処理プログラムなどのアプリケーションプログラムがユーザの操作に応じて実行される。
【００１６】
管理者マシン１４は、ローカルエリアネットワーク１１や接続されたプリンタ１５を管理するためのコンピュータマシンであり、管理者マシン１４内に設けられた記憶装置には本実施形態の管理者制御を実現する管理者用アプリケーション１４１が内蔵され、管理者マシン１４として機能する。
【００１７】
ネットワークプリンタ１５は、プリントサーバ１２からの印字要求によって実際に印刷データを出力する。尚、プリンタの印字方式については、どの方式のプリンタでもよいことは言うまでもない。
【００１８】
図７にコンピュータおよびプリンタのブロック図を示す。図７ではコンピュータとプリンタとが互いに直接接続されているが、実際には図１に示しように、複数のコンピュータがネットワーク１１には接続される。
【００１９】
図２に示されているように、コンピュータ１３，１４，１５は、処理部１０００とこれに周辺装置を含めてコンピュータ全体が構成されている。また、プリンタ１５は、記録ヘッド３０１０、記録ヘッド３０１０を搬送するキャリアを駆動するキャリア（ＣＲ）モータ３０１１、用紙を搬送する搬送モータ３０１２などの駆動部と、制御回路部３００３とから構成されている。
【００２０】
コンピュータ１３，１４，１５の処理部１０００は、制御プログラムに従ってホスト装置の全体制御を司るＭＰＵ１００１、システム構成要素を互いに接続するバス１００２、ＭＰＵ１００１が実行するプログラムやデータ等を一時記憶するＤＲＡＭ１００３、システムバスとメモリバス、ＭＰＵ１００１を接続するブリッジ１００４、例えば、ＣＲＴなどの表示装置２００１にグラフィック情報を表示するための制御機能を備えたグラフィックアダプタ１００５を含んでいる。
【００２１】
さらに、処理部１０００はＨＤＤ装置２００２とのインタフェースを司るＨＤＤコントローラ１００６、キーボード２００３とのインタフェースを司るキーボードコントローラ１００７、ネットワーク１１の規格に従って通信を司る通信インタフェース１００８を備えている。
【００２２】
さらに、処理部１０００には、グラフィックアダプタ１００５を介して操作者にグラフィック情報等を表示する表示装置２００１（この例では、ＣＲＴ）が接続されている。更に、プログラムやデータが格納された大容量記憶装置であるハードディスクドライブ（ＨＤＤ）装置２００２、キーボード２００３が夫々、コントローラを介して接続されている。
【００２３】
一方、プリンタ１５の制御回路部３００３は、制御プログラム実行機能と周辺装置制御機能とを兼ね備えた、プリンタ１５の全体制御を司るＭＣＵ３００１、制御回路部内部の各構成要素を接続するシステムバス３００２、記録データの記録ヘッド３０１０への供給、メモリアドレスデコーディング、キャリアモータへの制御パルス発生機構等を制御回路として内部に納めたゲートアレイ（Ｇ．Ａ．）を備えている。
【００２４】
また、制御回路部３００３は、ＭＣＵ３００１が実行する制御プログラムやホスト印刷情報等を格納するＲＯＭ３００４、各種データ（画像記録情報やヘッドに供給される記録データ等）を保存するＤＲＡＭ３００５、ネットワーク１１の規格に従い通信を司る通信インターフェース３００６、ゲートアレイ３００３から出力されたヘッド記録信号に基づき、記録ヘッド３０１０を駆動する電気信号に変換するヘッドドライバ３００７を備えている。
【００２５】
さらに、制御回路部３００３は、ゲートアレイ３００３から出力されるキャリアモータ制御パルスを実際にキャリア（ＣＲ）モータ３０１１を駆動する電気信号に変換するＣＲモータドライバ３００８、ＭＣＵ３００１から出力された搬送モータ制御パルスを、実際に搬送モータを駆動する電気信号に変換するＬＦモータドライバ３００９を備えている。
【００２６】
図２は、クライアント端末から印刷要求が発行される際の、クライアント端末における処理手順のフローチャートである。図２を参照して、印刷要求を発行する手順を説明する。
【００２７】
クライアント１３においては、クライアント１３上で稼働するアプリケーション１３１等により作成したデータの印刷がユーザにより指示されると、アプリケーション１３１およびクライアント端末のオペレーティングシステムなどにより印刷データおよび印刷設定データが作成される（Ｓ２０１，Ｓ２０２）。そして、印刷要求として、あるいは印刷要求と共に、印刷データと付随する印刷設定データとがプリントサーバ１２へ送信される（Ｓ２０３，Ｓ２０４，Ｓ２０５）。印刷設定データは、使用するプリンタ、部数、紙種等のプリンタに出力する際に必要なすべての情報を含む。また、印刷要求の他に必要に応じてクライアント１３からプリントサーバ１２へ印刷の停止要求も送信される（Ｓ２１１）。なお、ここでいう印刷要求とは、印刷ジョブと言い換えることもできる。
【００２８】
図３は、プリントサーバ１２が印刷要求を受信した際の、スプーラ１２２における処理手順のフローチャートである。図３を参照して、印刷要求を受信する際の手順を説明する。
【００２９】
プリンタドライバ１２１内のスプーラ１２２は、クライアント端末１３からの印刷要求やあるいは管理者端末１４からの承認条件などを待つ（Ｓ３０１）。なおこのステップは便宜的に表したもので、実際上は割り込みなどにより要求を受け付け、受信を待つとは限らない。
【００３０】
何らかの要求を受信すると、その内容を判別し（Ｓ３０２）、クライアント１３からの印刷要求であれば、印刷データをスプールファイル１２４に、印刷設定データを印刷設定ファイル１２５に書き込み、条件に応じて承認を受けたりプリンタにより印刷させるなど、印刷要求受信処理を行う（Ｓ３０４）。この手順は図４に即して詳細に説明する。
【００３１】
まず、受信した印刷データをスプールファイル１２４に、印刷設定データを印刷設定ファイル１２５に書き込む（Ｓ４０１〜Ｓ４０４）。その後スプーラ１２２は管理者マシン１４によって入力される承認条件ファイル１２６及び印刷設定ファイル１２５の内容を比較し、管理者の承認が必要であるか否かを判定する（Ｓ４０５）。承認の要否の条件としては、クライアント名、ユーザ名、アプリケーション名、データサイズなどが承認条件に一致するか否かの他、印刷条件が承認条件に合致することの判定も行われる。承認が不要な印刷条件としては、例えば、印刷される部数や合計枚数が一定数以上であること、一定数を超える場合には両面印刷でないこと、カラーモードであること、１枚に１ページのみ印刷するモードであること、などが設定できる。このほか、印刷データにイメージが含まれることなど印刷データそのものについても承認が必要な条件とすることができる。あるいは、このような主として資源の占有を防止する観点からの承認条件の他、利用権限の点などからも設定可能であろう。
【００３２】
さて、ステップＳ４０５において承認が必要であると判定された場合には、管理者マシン１４に対して承認要求を送信する（Ｓ４０６）。このとき、スプールファイル１２４及び印刷設定ファイル１２５についても管理者マシン１４に送信することにより（Ｓ４０７，Ｓ４０８）、管理者マシン１４で印刷プレビューの表示を行うことなどで実際の印刷内容を把握することが可能となる。
【００３３】
プリントサーバ１２はこの時点で管理者マシン１４からの承認可否いずれかを示す応答あるいは管理者マシン１４による印刷設定変更要求を待つ（Ｓ４０９）。さて、管理者マシン１４からの印刷設定変更要求あるいは印刷設定変更を受信すると、それがいずれであるか判定し（Ｓ４１０）、印刷設定変更要求であれば、スプーラ１２２は受信した印刷設定変更要求として、あるいは印刷設定変更要求と共に受信した印刷設定データを印刷設定ファイル１２５に反映させる（Ｓ４１１）。すなわち、変更された点を印刷設定ファイルに反映する。
【００３４】
一方、管理者マシン１４から承認要求に対する可否の応答を受信すると、その内容を判断して（Ｓ４１２）、承認可すなわち印刷を承認する応答である場合、デスプーラ１２３に対して承認されたプリント要求に対応する印刷データを出力させるトリガを発行する（Ｓ４１３）。
【００３５】
一方承認不可、すなわち承認が許可されない場合は、承認されなかったプリント要求に対応するスプールファイル１２４及び印刷設定ファイル１２５の内容を削除する（Ｓ４１４）。そして再びクライアント１３からの印刷要求待ち状態に入る。
【００３６】
ステップＳ４０５において、印刷設定ファイルには承認条件ファイルの項目に該当する項目がなく、管理者の承認が必要でないと判断された場合には、そのままデスプーラ１２３に対して印刷データを出力させるトリガを発行する（Ｓ４１３）。
【００３７】
またスプーラ１２２は、ステップＳ４０９において受信したものが管理者からの承認条件変更要求であると判定した場合、受信した承認条件を承認条件ファイル１２６に書き込む（Ｓ４１１）。承認条件変更要求は常に受信が可能な状態となっている。
【００３８】
図６に承認要求を受信した管理者マシン１４における管理者用アプリケーション１４１による処理手順を示す。
【００３９】
管理者用アプリケーション１４１はプリントサーバ１２からの承認要求を受信すると、あわせてスプールファイル１２４及び印刷設定ファイル１２５の受信を行なう（Ｓ６０１，Ｓ６０２）。そして印刷データを印刷設定データに従ってプレビュー表示することにより（Ｓ６０３）、実際の印刷内容を、そのプレビューといったスプールファイル１２４の内容を加工した形で管理者が把握することが可能となる。
【００４０】
管理者用マシン１４においてプレビュー表示するためには、スプールファイルに格納された形式の印刷データを解釈して表示するためのプログラムが必要となる。このプログラムは、印刷データからビットマップデータを作成する機能と、作成されたビットマップデータを表示用のデータに変換する機能とを有していればよい。しかし、印刷設定ファイルの内容そのものを表示して、印刷設定を管理者に提示することも可能である。プレビュー表示には、承認要求と共に受信したクライアント名やプログラム名、ユーザ名、データサイズ等を合わせて表示することもできる。
【００４１】
管理者は、表示されたプレビュー印刷内容を確認し、あるいは印刷設定データの内容そのものを確認し、その後に印刷要求の承認可否もしくは印刷設定変更を入力する。そして入力されたデータが印刷要求の承認可否であれば、承認の可否をプリントサーバ１２に対して送信する（Ｓ６０６）。
【００４２】
一方、印刷設定変更が行なわれた場合は、変更された印刷設定変更をプリントサーバ１２に対して送信する（Ｓ６０５）。承認可否をプリントサーバ１２に対して送信すると、再びプリントサーバ１２からの承認要求待ち状態に入る。このとき、好ましくは、プレビュー表示は、変更された印刷設定にしたがって表示し直されてもよい。また承認条件変更要求については常に送信可能な状態となっている。管理者端末１４における印刷設定の変更は、印刷設定データに基づいて、それらデータを変更可能に画面表示し、そのデータに対して新たな値を管理者に入力し直させることで行える。印刷設定データは、設定項目ごとに、それがどの項目であるかを示す項目識別子と各項目に対する値との集合により構成されているために、その再設定は容易である。
【００４３】
以上の手順により、クライアント端末から発行された印刷要求は、承認が不要あるいは承認を受けられた印刷要求については、デスプーラによりスプールファイルから読み出されて印刷が開始される。また、承認が必要な印刷要求について承認を受けられなかった場合には、その印刷要求に対応する印刷データは廃棄される。
【００４４】
さて、出力トリガを受信したデスプーラ１２３は図５の手順で動作する。プリンタドライバ１２１内のデスプーラ１２３は、スプーラ１２２からのトリガを受信すると（Ｓ５０１）、スプールファイル１２４の内容と印刷設定ファイル１２５の内容とを読み出して（Ｓ５０２，Ｓ５０３）、読み出したデータに基づいて、プリンタ１５で解釈実行可能な形式の印字データを作成し（Ｓ５０４）、作成した印字データをシステムスプーラ１２７に対して出力する（Ｓ５０５）。そして再びスプーラ１２２からのトリガ待ち状態に入る。
【００４５】
以上詳細に説明したように、従来のプリントサーバの機能に加えて、プリントサーバから管理者端末へのスプールファイル及び印刷設定ファイルの送信を行い、管理者端末からプリントサーバへの承認条件変更及び印刷設定変更要求の送信および印刷要求の承認の可否の応答を行い、プリントサーバにおいて承認条件ファイル及び印刷設定ファイル及びスプールファイルの管理を行なうことにより、管理者端末では印刷設定も含めて印刷要求を承認するか否かを判断できる。
【００４６】
その際、管理者端末では、印刷設定に従って印刷データをプレビュー表示することで、印刷設定を視覚により直感的に把握することができる。このため印刷管理についての利便性を向上することができる。
【００４７】
また、管理者により不適当な印刷設定を変更して印刷を承認することができ、資源の節約及びセキュリティの向上につながる印刷データ管理装置が提供できる。さらにこのため、管理者は承認の可否のみの選択ではなく、若干の設定が変更されるなら承認を許可してもよいというような場合でも承認することができる。このため、ユーザは設定を変更した後にもう一度印刷を行なわなければならないという煩雑さから解放され、印刷処理の生産性を向上させることができる。
【００４８】
なお、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても達成される。
【００４９】
この場合、記憶媒体から読み出されたプログラムコード自体が前述した実施形態の機能を実現することになり、そのプログラムコード自体およびプログラムコードを記憶した記憶媒体は本発明を構成することになる。
【００５０】
また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれる。
【００５１】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれる。
【００５２】
さて、以上説明した発明は、以下のように把握することもできる。
【００５３】
（１）プリントサーバであって、クライアントから印刷要求を受信し、付随する印刷データおよび印刷設定データを格納する受信手段と、
前記印刷要求に関する情報と承認条件とを参照して承認の要否を判定する判定手段と、
前記判定手段により承認が必要であると判定された場合、マネージャに対して承認の可否を要求するとともに前記印刷設定データを提供する承認要求手段と、前記判定手段により承認が不要であると判定された場合、または前記マネージャより承認可の応答を受信した場合に、格納した前記印刷データを前記印刷設定データに従ってプリンタにより印刷させる印刷制御手段とを備える。
【００５４】
（２）（１）のプリントサーバであって、前記マネージャより印刷設定データを受信し、格納された前記印刷設定データを、前記マネージャより受信した印刷設定データで更新する設定更新手段をさらに備える。
【００５５】
（３）（１）または（２）のプリントサーバであって、承認要求手段は、さらに前記印刷データを前記マネージャに送信する。
【００５６】
（４）（１）乃至（３）のいずれかのプリントサーバであって、マネージャより、前記承認条件のデータを受信する受信手段をさらに備える。
【００５７】
（５）（１）乃至（４）のいずれかのプリントサーバであって、クライアントおよびマネージャはコンピュータであり、該コンピュータとネットワークで接続されている。
【００５８】
（６）管理装置であって、プリントサーバより印刷要求についての承認の要求と共に対応する印刷設定データを受信する受信手段と、
前記印刷設定データを変更する変更手段と、
前記変更手段により変更された印刷設定データを前記プリントサーバに送信する送信手段と、
前記承認の要求に対する応答を前記プリントサーバに送信する応答手段とを備える。
【００５９】
（７）（６）の管理装置であって、受信手段はさらに前記印刷要求に対応する印刷データを前記プリントサーバから受信し、前記印刷設定データと前記印刷データに基づいて印刷イメージを表示する表示手段をさらに備える。
【００６０】
（８）（６）または（７）の管理装置であって、プリントサーバに対して、前記プリントサーバが前記印刷要求についての承認の要否を判定するための承認条件のデータを送信する手段をさらに備える。
【００６１】
（９）（６）乃至（８）のいずれかの管理装置であって、送信手段により変更された印刷設定データを前記プリントサーバに対して送信した場合には、前記承認の要求に対しては承認可の応答を前記プリントサーバに送信する。
【００６２】
（１０）プリントサーバシステムであって、（１）乃至（５）のいずれかのプリントサーバ装置をプリントサーバとして、（６）乃至（９）のいずれかの管理装置をマネージャとして接続し、クライアントから受信する印刷要求について承認した場合にプリンタにより印刷させる。
【００６３】
（１１）プリント要求の管理方法であって、クライアントから印刷要求を受信し、付随する印刷データおよび印刷設定データを格納する受信工程と、
前記印刷要求に関する情報と承認条件とを参照して承認の要否を判定する判定工程と、
前記判定工程により承認が必要であると判定された場合、マネージャに対して承認の可否を要求するとともに前記印刷設定データを提供する承認要求工程と、
前記マネージャより印刷設定データを受信した場合、格納された前記印刷設定データを、前記マネージャより受信した印刷設定データで更新する設定更新工程と、
前記判定工程により承認が不要であると判定された場合、または前記マネージャより承認可の応答を受信した場合に、格納した前記印刷データを前記印刷設定データに従ってプリンタにより印刷させる印刷制御工程とを備える。
【００６４】
（１２）プリント要求の管理方法であって、プリントサーバより印刷要求についての承認の要求と共に対応する印刷設定データを受信する受信工程と、
前記印刷設定データを変更する変更工程と、
前記変更工程により変更された印刷設定データを前記プリントサーバに送信する送信工程と、
前記承認の要求に対する応答を前記プリントサーバに送信する応答工程とを備える。
【００６５】
（１３）（１）乃至１０のいずれかに記載の装置を、コンピュータにより実現するためのプログラム。
【００６６】
（１４）（１３）のプログラムを記録したことを特徴とするコンピュータ可読の記録媒体。
【００６７】
【発明の効果】
以上詳細に説明したように、本発明によれば、印刷要求の承認を、印刷設定を対象としても行うことができ、より印刷管理をきめ細かく行うことができる。また印刷管理についての利便性を向上することができ、資源の節約及びセキュリティを向上させることができる。
【００６８】
さらに、承認の可否のみの選択にとどまらず、管理者により設定の変更を行ってから承認することができるために、再承認を受ける必要がなく、生産性を向上できる。
【００６９】
また、管理者から承認条件を変更することができるため、柔軟な印刷管理を実現できる。
【図面の簡単な説明】
【図１】本発明の実施形態における印刷データ管理装置の構成図である。
【図２】本発明の実施形態におけるクライアントの制御手順のフローチャートである。
【図３】本発明の実施形態におけるスプーラの制御手順のフローチャートである。
【図４】本発明の実施形態におけるスプーラの制御手順のフローチャートである。
【図５】本発明の実施形態におけるデスプーラの制御手順のフローチャートである。
【図６】本発明の実施形態における管理者用アプリケーションの制御手順のフローチャートである。
【図７】本発明の実施形態におけるコンピュータおよびプリンタのブロック図である。
【符号の説明】
１１：ローカルエリアネットワーク
１２：プリントサーバ
１２１：プリンタドライバ
１２２：スプーラ
１２３：デスプーラ
１２４：スプールファイル
１２５：印刷設定ファイル
１２６：承認条件ファイル
１２７：システムスプーラ
１３：クライアント
１３１：アプリケーション
１４：管理者マシン
１４１：管理者用アプリケーション
１５：プリンタ
【図１】
2004185325.tif 000003
【図２】
2004185325.tif 000004
【図３】
2004185325.tif 000005
【図４】
2004185325.tif 000006
【図５】
2004185325.tif 000007
【図６】
2004185325.tif 000008
【図７】
2004185325.tif 000009